(57)【要約】    【課題】  木材等が激突したときに、塗壁構造体を突き抜けて建築物内に突入し、内部の人や物を損傷させることが効果的に防がれる塗壁構造体及び塗壁用構造体の提供。    【解決手段】  基材Ｂに防水紙Ｒを介してラスＬを配置して対象部Ｊ１とする。対象部Ｊ１の第１位置Ｐ１にワイヤロープＷ１の一端部をタッピングネジＴにより固定し、対象部Ｊ１の第２位置Ｐ２乃至第２５位置Ｐ２５にタッピングネジＴを螺着固定する。ワイヤロープＷ１を、第１位置Ｐ１から第２位置Ｐ２乃至第２５位置Ｐ２５のタッピングネジＴにそれぞれ掛け、第２６位置Ｐ２６においてワイヤロープＷ１の他端部をタッピングネジＴにより対象部Ｊ１に固定して塗壁用構造体Ｘ１を得る。張設されたワイヤロープＷ１を埋め込むようにモルタルＭを塗工することにより塗壁構造体Ｙ１を得る。【選択図】      図３
2017040045.tif 000002
【特許請求の範囲】
【請求項１】
塗壁材が塗工されるための塗壁用構造体であって、
塗壁材を塗工して塗壁を形成する対象部に、ワイヤロープ又はそれと同等以上の強度及び耐久性を有するロープ材が、間隔おきに又は交差状に複数条張設されていることを特徴とする塗壁用構造体。
【請求項２】
上記対象部が、基材上にラスが配置された部分であり、
前記対象部における前記ラスの表側又は裏側に接する状態で、上記ロープ材が、間隔おきに又は交差状に複数条張設されている請求項１記載の塗壁用構造体。
【請求項３】
上記対象部が、基材上にラスが配置された部分であり、
前記対象部における前記ラスの表裏を縫うように上記ロープ材が張設されている請求項１又は２記載の塗壁用構造体。
【請求項４】
上記対象部に、上記ロープ材が間隔おきに互いに平行状に複数条張設されている請求項１乃至３の何れか１項に記載の塗壁用構造体。
【請求項５】
間隔おきに互いに平行状に張設されている複数条のロープ材と、別の間隔おきに互いに平行状に張設されている複数条のロープ材が交差状をなす請求項４記載の塗壁用構造体。
【請求項６】
上記ロープ材が炭素繊維ケーブルである請求項１乃至５の何れか１項に記載の塗壁用構造体。
【請求項７】
請求項１乃至６の何れか１項に記載の塗壁用構造体の対象部にロープ材が埋め込まれた状態で塗壁材が塗工されてなる塗壁構造体。
【請求項８】
上記塗壁用構造体の対象部が、基材上にラスが配置された部分であり、その対象部における前記ラスの表側又は裏側に接する状態で張設されたロープ材が前記ラスと共に埋め込まれた状態で塗壁材が塗工されている請求項７記載の塗壁構造体。
【請求項９】
塗壁材がモルタルである請求項７又は８記載の塗壁構造体。
【発明の詳細な説明】
【技術分野】
【０００１】
本発明は、塗壁材が塗工されるための塗壁用構造体及びその塗壁用構造体に塗壁材が塗工されてなる塗壁構造体に関する。
【背景技術】
【０００２】
基材上にラスが配置された部分にモルタルが塗工されてなる塗壁構造体の場合、地震動等により、ラスを基材に固定するステープルが基材から離脱してラス及び塗壁自体が脱落することが生じ得る。
【０００３】
特開２０１４−６６０９３公報には、ビス４を柱５１に螺着することにより、係止金具３を介してラス網５４が固定されたモルタル塗壁構造体が記載されている。このようにビスを用いてラスを基材に固定することにより、ラス及び塗壁自体が脱落することは防がれ得る。
【０００４】
しかしながら、竜巻・台風・その他の暴風による風力又はその他の力により、木材やその他の物が前記のような塗壁構造体の外側から内側に向けて激突したときに、その物が塗壁構造体を突き抜けて建築物内に突入し、内部の人や物を損傷させることがこれまでに起こっている。
【０００５】
このようなことを防止する効果は、特開２０１４−６６０９３号公報に記載のようなビスによってラスを固定したモルタル塗壁構造体であってもあまり期待できない。
【先行技術文献】
【特許文献】
【０００６】
【特許文献１】特開２０１４−６６０９３号公報
【発明の概要】
【発明が解決しようとする課題】
【０００７】
本発明は、従来技術における上記のような課題に鑑み行われたものであって、竜巻・台風・その他の暴風による風力又はその他の力により、木材やその他の物が塗壁構造体の外側から内側に向けて激突したときに、その物が塗壁構造体を突き抜けて建築物内に突入し、内部の人や物を損傷させることが効果的に防がれる塗壁構造体及びその塗壁構造体を形成し得る塗壁用構造体を提供することを目的とする。
【課題を解決するための手段】
【０００８】
(1) 塗壁材が塗工されるための塗壁用構造体であって、
塗壁材を塗工して塗壁を形成する対象部に、ワイヤロープ又はそれと同等以上の強度及び耐久性を有するロープ材が、間隔おきに又は交差状に複数条張設されていることを特徴とする塗壁用構造体。
【０００９】
塗壁用構造体の対象部に、ロープ材が埋め込まれた状態で塗壁材が塗工されることにより得られる塗壁構造体の場合、竜巻・台風・その他の暴風による風力又はその他の力により、木材やその他の物が塗壁構造体の外側から内側に向けて激突したときに、その物が塗壁構造体を突き抜けて塗壁構造体の内側（例えば建築物内）に突入し、内部の人や物を損傷させることが効果的に防がれる。
【００１０】
すなわち、前記対象部に間隔おきに又は交差状に複数条張設されているワイヤロープ又はそれと同等以上の強度及び耐久性を有するロープ材は、側方からの衝撃力に対する耐衝撃性に優れるため、前記塗壁構造体の外側から内側（又は内側から外側）に向かう衝突物がの塗壁構造体を突き抜けることを防ぐ上で優れた効果を発揮する。
【００１１】
また、前記対象部に間隔おきに又は交差状に複数条張設されているワイヤロープ又はそれと同等以上の強度及び耐久性を有するロープ材により、前記塗壁構造体の強度、剛性、耐震性が補強される。
【００１２】
(2) 上記対象部が、基材上にラスが配置された部分であり、
前記対象部における前記ラスの表側又は裏側に接する状態で、上記ロープ材が、間隔おきに又は交差状に複数条張設されている上記(1)記載の塗壁用構造体。
【００１３】
この場合、塗壁用構造体の対象部が、基材上にラスが配置された部分であり、その対象部におけるラスの表側又は裏側に接する状態で張設されたロープ材がラスと共に埋め込まれた状態で塗壁材が塗工されることにより、塗壁構造体が得られる。
【００１４】
(3) 上記対象部が、基材上にラスが配置された部分であり、
前記対象部における前記ラスの表裏を縫うように上記ロープ材が張設されている上記(1)又は(2)記載の塗壁用構造体。
【００１５】
(4) 上記対象部に、上記ロープ材が間隔おきに互いに平行状に複数条張設されている上記(1)乃至(3)の何れか１項に記載の塗壁用構造体。
【００１６】
(5) 間隔おきに互いに平行状に張設されている複数条のロープ材と、別の間隔おきに互いに平行状に張設されている複数条のロープ材が交差状をなす上記(4)記載の塗壁用構造体。
【００１７】
(6) 上記ロープ材が炭素繊維ケーブルである上記(1)乃至(5)の何れか１項に記載の塗壁用構造体。
【００１８】
(7) 上記(1)乃至(6)の何れか１項に記載の塗壁用構造体の対象部にロープ材が埋め込まれた状態で塗壁材が塗工されてなる塗壁構造体。
【００１９】
この塗壁構造体の場合、竜巻・台風・その他の暴風による風力又はその他の力により、木材やその他の物が塗壁構造体の外側から内側に向けて激突したときに、その物が塗壁構造体を突き抜けて塗壁構造体の内側（例えば建築物内）に突入し、内部の人や物を損傷させることが効果的に防がれる。
【００２０】
すなわち、前記対象部に間隔おきに又は交差状に複数条張設されているワイヤロープ又はそれと同等以上の強度及び耐久性を有するロープ材は、側方からの衝撃力に対する耐衝撃性に優れるため、前記塗壁構造体の外側から内側（又は内側から外側）に向かう衝突物がの塗壁構造体を突き抜けることを防ぐ上で優れた効果を発揮する。
【００２１】
また、前記対象部に間隔おきに又は交差状に複数条張設されているワイヤロープ又はそれと同等以上の強度及び耐久性を有するロープ材により、前記塗壁構造体の強度、剛性、耐震性が補強される。
(8) 上記塗壁用構造体の対象部が、基材上にラスが配置された部分であり、その対象部における前記ラスの表側又は裏側に接する状態で張設されたロープ材が前記ラスと共に埋め込まれた状態で塗壁材が塗工されている上記(7)記載の塗壁構造体。
【００２２】
(9) 塗壁材がモルタルである上記(7)又は(8)記載の塗壁構造体。
【発明の効果】
【００２３】
本発明によれば、対象部に間隔おきに又は交差状に複数条張設されているワイヤロープ又はそれと同等以上の強度及び耐久性を有するロープ材は、側方からの衝撃力に対する耐衝撃性に優れるため、前記塗壁構造体の外側から内側（又は内側から外側）に向かう衝突物がの塗壁構造体を突き抜けることを防ぐ上で優れた効果を発揮する。
【００２４】
また、前記対象部に間隔おきに又は交差状に複数条張設されているワイヤロープ又はそれと同等以上の強度及び耐久性を有するロープ材により、前記塗壁構造体の強度、剛性、耐震性が補強される。
【図面の簡単な説明】
【００２５】
【図１】防水紙を添設した基材の正面図である。
【図２】防水紙上にラスを固定配置した基材の正面図である。
【図３】塗壁用構造体の正面図である。
【図４】図３におけるIV−IVについての塗壁構造体の要部拡大断面図である。
【図５】塗壁用構造体の正面図である。
【発明を実施するための形態】
【００２６】
[1] 図面は何れも本発明の実施の形態の例としての塗壁用構造体及び塗壁構造体に関するものである。
【００２７】
基材Ｂ（下地）としての木製パネルの一方の面における外枠Ｂ１内の長方形部分に、同等の長方形状の防水紙Ｒが全面にわたり添設され、その防水紙Ｒ上に全面にわたり力骨Ｌ１付のラスＬがステープル（図示を略す）により固定配置されることにより、木製パネルの前記一方の面における外枠Ｂ１内の長方形部分が、塗壁材であるモルタルを塗工してモルタル塗壁を形成する対象部Ｊ１を構成する。
【００２８】
この対象部Ｊ１の短辺の一端部である第１位置Ｐ１に、アイ加工された２ｍｍ径のワイヤロープＷ１の一端部が、タッピングネジＴ（スクエアビス）により螺着固定されている。
【００２９】
対象部Ｊ１における、短辺の他端部（長辺の一端部）である第２位置Ｐ２、長辺に沿って他端側へ約７５ｍｍの第３位置Ｐ３、第１位置Ｐ１から他方の長辺に沿って他端側へ約７５ｍｍの第４位置Ｐ４、その長辺に沿って他端側へ約７５ｍｍの第５位置Ｐ５、第３位置Ｐ３から長辺に沿って他端側へ約７５ｍｍの第６位置Ｐ６、長辺に沿って他端側へ約７５ｍｍの第７位置Ｐ７にタッピングネジＴが螺着固定され、更に、同様に、第８位置Ｐ８乃至第２５位置Ｐ２５にタッピングネジＴが螺着固定されている。
【００３０】
ワイヤロープＷ１は、第１位置Ｐ１から第２位置Ｐ２に張り渡され、第２位置Ｐ２及び第３位置Ｐ３のタッピングネジＴの外周にそれぞれ掛けられて９０度ずつ屈曲した後、第４位置Ｐ４に張り渡され、第４位置Ｐ４及び第５位置Ｐ５のタッピングネジＴの外周にそれぞれ掛けられて９０度ずつ屈曲した後、第６位置Ｐ６に張り渡され、同様に第７位置Ｐ７乃至第２５位置Ｐ２５のタッピングネジＴにそれぞれ掛けられ、長辺の他端部の第２６位置Ｐ２６においてアイ加工されたワイヤロープＷ１の他端部が、タッピングネジＴにより対象部Ｊ１に固定されている。
【００３１】
このようにして、対象部Ｊ１に対し、その短辺に平行に７５ｍｍ間隔おきに、ほぼ両長辺間にわたる複数条のワイヤロープＷ１が張設された塗壁用構造体Ｘ１が得られる。
【００３２】
この塗壁用構造体Ｘ１の対象部Ｊ１にワイヤロープＷ１を埋め込むように塗壁材であるモルタルＭを塗工することにより、塗壁構造体Ｙ１が得られる。
【００３３】
この塗壁構造体Ｙ１の場合、竜巻・台風・その他の暴風による風力又はその他の力により、木材やその他の物が塗壁構造体Ｙ１の外側から内側に向けて激突したときに、その物が塗壁構造体Ｙ１を突き抜けて塗壁構造体Ｙ１の内側（例えば建築物内）に突入し、内部の人や物を損傷させることが効果的に防がれる。
【００３４】
すなわち、前記対象部Ｊ１に間隔おきに複数条張設されているワイヤロープＷ１は、側方からの衝撃力に対する耐衝撃性に優れるため、前記塗壁構造体Ｙ１の外側から内側に向かう衝突物が塗壁構造体Ｙ１を突き抜けることを防ぐ上で優れた効果を発揮する。
【００３５】
また、前記対象部Ｊ１に間隔おきに複数条張設され、タッピングネジＴにより確実に固定されているワイヤロープＷ１により、前記塗壁構造体Ｙ１の強度、剛性、耐震性が補強される。
【００３６】
更に、前記塗壁用構造体Ｘ１の上に、９０度角度を変えて同様に２ｍｍ径のワイヤロープＷ２を張設することにより、対象部Ｊ２に対し、その長辺に平行に等間隔おきに、ほぼ両短辺間にわたる複数条のワイヤロープＷ２を張設することができ、これにより、等間隔おきに互いに平行状に張設されている複数条のワイヤロープＷ１と、別の等間隔おきに互いに平行状に張設されている複数条のワイヤロープＷ２が直角交差状をなす塗壁用構造体Ｘ２が得られる。
【００３７】
この塗壁用構造体Ｘ２の対象部Ｊ２にワイヤロープＷ１及びワイヤロープＷ２を埋め込むように塗壁材であるモルタルＭを塗工することにより、塗壁構造体Ｙ２が得られる。
【００３８】
この塗壁構造体Ｙ２の場合、塗壁用構造体Ｘ２の対象部Ｊ２に、複数条のワイヤロープＷ１と複数条のワイヤロープＷ２が直角交差状をなすようう張設されたものであるため、竜巻・台風・その他の暴風による風力又はその他の力により、木材やその他の物が塗壁構造体Ｙ２の外側から内側に向けて激突したときに、その物が塗壁構造体Ｙ２を突き抜けて塗壁構造体Ｙ２の内側（例えば建築物内）に突入し、内部の人や物を損傷させることが更に効果的に防がれる。
【００３９】
すなわち、前記対象部Ｊ２に直角交差状に複数条張設されているワイヤロープＷ１は、側方からの衝撃力に対する耐衝撃性に優れるため、前記塗壁構造体Ｙ２の外側から内側に向かう衝突物が塗壁構造体Ｙ２を突き抜けることを防ぐ上でより優れた効果を発揮する。
【００４０】
また、前記対象部Ｊ２に直角交差状に複数条張設され、タッピングネジＴにより堅固に固定されているワイヤロープＷ１により、前記塗壁構造体Ｙ２の強度、剛性、耐震性がいっそう補強される。
【００４１】
[2] 本発明の実施の形態を、上記以外の形態を含めて更に説明する。
【００４２】
本発明の塗壁用構造体は、塗壁材が塗工されるための塗壁用構造体であって、塗壁材を塗工して塗壁を形成する対象部に、ワイヤロープ又はそれと同等以上の強度及び耐久性を有するロープ材が、間隔おきに又は交差状に複数条張設された状態で固定されてなるものである。
【００４３】
本発明の塗壁構造体は、塗壁用構造体の対象部にロープ材が埋め込まれた状態で塗壁材が塗工されてなるものである。
【００４４】
(1) 塗壁材を塗工して塗壁を形成する対象部としては、構造材からなる若しくは構造材を含む基材（下地）又はその他の基材、そのような基材上に防水紙等の介在物を挟む状態で若しくは直接に各種のラス若しくはその他の物がタッカー又はその他の手段により固定配置された部分を例示することができる。
【００４５】
対象部は、平面状をなす部分に限らず、例えば、湾曲面状又は折曲面状をなす部分とすることもできる。
【００４６】
(2) 塗壁材は、対象部に塗工して塗壁を形成するためのものであり、モルタルの他、漆喰を始めとする各種塗壁材を例示することができる。
【００４７】
(3) ロープ材は、ワイヤロープ又はそれと同等以上の強度及び耐久性を有するものである。
【００４８】
ワイヤロープとしては、例えば、鋼心であるもの、繊維心を有しないものを用いることができるが、これに限るものではない。
【００４９】
ワイヤロープ以外のロープ材としては、炭素繊維ケーブル又は炭素繊維ロープを例示することができる。
【００５０】
用いるロープ材の太さは、必要な強度及び耐久性を備え、対象部にロープ材を所要の態様で張設し、塗壁用構造体の対象部に塗壁材を塗工してロープ材が埋め込まれた状態とする上で適切な程度とすることができる。
【００５１】
(4) ロープ材は、間隔おきに又は交差状に基材の対象部に複数条張設されている。
【００５２】
(4-1) 複数条のロープ材というのは、例えば、ｎ本（ｎは２以上の整数）のロープ材がｎ条のロープ材を構成するものであってもよく、１本のロープ材が屈曲若しくは折曲され又はＵ字状に折り返されることにより、屈曲若しくは折曲又はＵ字状折り返し箇所を除く部分が複数条のロープ材を構成するものであってもよい。すなわち、ロープ材が、間隔おきに又は交差状に複数条張設されているという構成は、１本のロープ材が屈曲若しくは折曲され又はＵ字状に折り返されることにより、或いはそれらが繰り返されたり組み合わされたりすることにより、ロープ材の所定の複数の部分（すなわち複数条）が間隔おきに又は交差状に張設された構成となるものであってもよい。複数本のロープ材のそれぞれが１条又は複数条のロープ材を構成し、それらの組み合わせが、間隔おきに又は交差状に複数条張設されているロープ材を構成するものとすることもできる。
【００５３】
(4-2) 各条のロープ材（１本のロープ材又は１本のロープ材の所定部分）は、例えば、直線状、曲線状、又は折線状であるものとすることができ、複数条のロープ材は、例えば、互いに等間隔若しくは不等間隔おきに平行状又は非平行状をなすものとすることができる。
【００５４】
間隔おきに互いに平行状に張設されている複数条のロープ材と、別の間隔おきに互いに平行状に張設されている複数条のロープ材が交差状をなすものとすることもできる。
【００５５】
(4-3) ロープ材は、平面状をなす対象部に限らず、例えば、折曲面、湾曲面、家屋等の建築物の全周にわたり張設することもできる。
【００５６】
(4-4) 対象部が、基材上に防水紙等の介在物を挟む状態で若しくは直接に各種のラスが配置された部分である場合、ロープ材は、例えば、対象部における前記ラスの表側又は裏側に接する状態で、間隔おきに又は交差状に複数条張設されているものとすることができ、また例えば、対象部における前記ラスの表裏を縫うように張設されているものとすることができる。
【００５７】
(5) ロープ材を張設する手段は適宜選択し得る。例えば、タッピングネジ、ボルト、アンカーボルト等の対象物に確実に堅固に固着し得る器具により、ロープ材の端部若しくは中間部を対象部に対し固定若しくは掛止したり、ロープ材の中間部における折曲や屈曲による方向転換をすべき箇所を、対象部に固着した器具に掛けること等により、対象部に対してロープ材を所要の態様で張設し得る。対象部に対するロープ材の固定を堅固にすることによって、塗壁構造体の強度、剛性、耐震性の補強がより確実なものとなる。
【００５８】
(6) 塗壁構造体は、塗壁用構造体の対象部にロープ材が埋め込まれた状態で塗壁材が塗工されてなるものである。この場合、前記ロープ材は、塗壁材により完全に埋め込まれたものとすることが望ましいが、必ずしもこれに限るものではない。
【００５９】
また、塗壁用構造体は、その対象部が、基材上に防水紙等の介在物を挟む状態で若しくは直接ラスが配置された部分である場合、その対象部におけるラスの表側又は裏側に接する状態で張設されたロープ材がラスと共に埋め込まれた状態で塗壁材が塗工されるものとすることができる。
【符号の説明】
【００６０】
Ｂ    基材
Ｂ１  外枠
Ｌ    ラス
Ｌ１  力骨
Ｊ１  対象部
Ｊ２  対象部
Ｐ１乃至Ｐ２６  第１位置乃至第２６位置
Ｒ    防水紙
Ｔ    タッピングネジ
Ｗ１  ワイヤロープ
Ｗ２  ワイヤロープ
Ｘ１  塗壁用構造体
Ｘ２  塗壁用構造体
Ｙ１  塗壁構造体
Ｙ２  塗壁構造体
【図１】
2017040045.tif 000003
【図２】
2017040045.tif 000004
【図３】
2017040045.tif 000005
【図４】
2017040045.tif 000006
【図５】
2017040045.tif 000007